(57)【特許請求の範囲】
【請求項１】
時間貸しの駐車場または駐輪場に設置される端末に、非接触で所定の装置と通信を行うリーダライタを備え、
発券または精算の処理が開始されたときから計時を開始する計時部と、
前記所定の装置が非接触通信を行える位置に位置したとき、所定のＵＲＬを生成する生成部と、
前記生成部により生成された前記ＵＲＬを、前記リーダライタを制御して、前記所定の装置に提供する提供部と
を備え、
前記生成部が生成する前記ＵＲＬは、そのＵＲＬで接続されるサイトでの所定のサービスを受ける権利を有する第１のＵＲＬと、権利を有さない第２のＵＲＬがそれぞれ設定され、
前記第１のＵＲＬは、前記計時部の計時が開始されてから、予め設定されている時間が経過した時点まで、前記所定の装置に提供され、
前記第２のＵＲＬは、前記第１のＵＲＬが提供されていないときに前記所定の装置に提供される
情報処理装置。
【請求項２】
前記生成部は、前記端末が、発券または精算の処理を実行したときに、前記所定の装置に対して提供する前記ＵＲＬを生成する
請求項１に記載の情報処理装置。
【請求項３】
前記ＵＲＬは、所定の期間に、前記所定の装置が非接触通信を行える位置に位置したときの回数、その累積回数、前記所定の装置のＩＤ、および前記リーダライタのＩＤをパラメータとして含む
請求項１に記載の情報処理装置。
【請求項４】
前記前記リーダライタは、前記端末が、発券または精算の処理を開始したときに電源がオンにされ、その後、所定の時間が経過したときオフにされる
請求項１に記載の情報処理装置。
【請求項５】
時間貸しの駐車場または駐輪場に設置される端末に、非接触で所定の装置と通信を行うリーダライタを備える情報処理装置の情報処理方法において、
発券または精算の処理が開始されたときから計時を開始し、
前記所定の装置が非接触通信を行える位置に位置したとき、所定のＵＲＬを生成し、
生成された前記ＵＲＬを、前記リーダライタを制御して、前記所定の装置に提供する
ステップを含み、
生成される前記ＵＲＬは、そのＵＲＬで接続されるサイトでの所定のサービスを受ける権利を有する第１のＵＲＬと、権利を有さない第２のＵＲＬがそれぞれ設定され、
前記第１のＵＲＬは、前記計時が開始されてから、予め設定されている時間が経過した時点まで、前記所定の装置に提供され、
前記第２のＵＲＬは、前記第１のＵＲＬが提供されていないときに前記所定の装置に提供される
ステップを含む情報処理方法。
【請求項６】
時間貸しの駐車場または駐輪場に設置される端末に、非接触で所定の装置と通信を行うリーダライタを備える情報処理装置に、
発券または精算の処理が開始されたときから計時を開始し、
前記所定の装置が非接触通信を行える位置に位置したとき、所定のＵＲＬを生成し、
生成された前記ＵＲＬを、前記リーダライタを制御して、前記所定の装置に提供する
ステップを含み、
生成される前記ＵＲＬは、そのＵＲＬで接続されるサイトでの所定のサービスを受ける権利を有する第１のＵＲＬと、権利を有さない第２のＵＲＬがそれぞれ設定され、
前記第１のＵＲＬは、前記計時が開始されてから、予め設定されている時間が経過した時点まで、前記所定の装置に提供され、
前記第２のＵＲＬは、前記第１のＵＲＬが提供されていないときに前記所定の装置に提供される
ステップを含む処理を実行させるためのコンピュータが読み取り可能なプログラム。
【発明の詳細な説明】
【技術分野】
【０００１】
本発明は情報処理装置および方法、並びにプログラムに関し、特に、駐車場などの所定の場所からメディアサイトへの誘導をすることで、情報発信を行えるようにする情報処理装置および方法、並びにプログラムに関する。
【背景技術】
【０００２】
コインパーキングなどと称される時間貸しの駐車場が存在している。このコインパーキングは、所定の時間、所定の金額で車、バイク、自転車などが駐車（駐輪）できる駐車場（駐輪場）である。（特許文献１参照）
【先行技術文献】
【特許文献】
【０００３】
【特許文献１】特開２００８−００９７２５号公報
【発明の概要】
【発明が解決しようとする課題】
【０００４】
コインパーキングの利用を促進するために、例えば、特許文献１では、駐車料金を割り引くポイントサービスを提供し、そのようなサービスを提供するのに、煩雑な入会手続を行わなくても入会できる方法が提案されている。このようにコインパーキングの利用を促進する仕組みが提供されることは、コインパーキングの管理者により望まれている。
【０００５】
ところで、近年、ネットワークの普及に伴い、ネットワーク上でさまざまなサービスが提供されている。そのようなサービスを提供するメディアサイトは多数存在しているため、いかにして、ユーザに所定のメディアサイトの存在を知らせ、利用してもらうかが、メディアサイトを管理する側の課題としてある。
【０００６】
駐車場などの所定の場所を利用したときに、その場所から上記したメディアサイトへの誘導は行われておらず、そのような誘導を行うことで、メディアサイトの存在をユーザに知らせ、利用してもらうことが望まれている。
【０００７】
本発明は、このような状況に鑑みてなされたものであり、所定の場所の利用から、所定のメディアサイトへの誘導を促進することができるようにするものである。
【課題を解決するための手段】
【０００８】
本発明の一側面の情報処理装置は、時間貸しの駐車場または駐輪場に設置される端末に、非接触で所定の装置と通信を行うリーダライタを備え、発券または精算の処理が開始されたときから計時を開始する計時部と、前記所定の装置が非接触通信を行える位置に位置したとき、所定のＵＲＬを生成する生成部と、前記生成部により生成された前記ＵＲＬを、前記リーダライタを制御して、前記所定の装置に提供する提供部とを備え、前記生成部が生成する前記ＵＲＬは、そのＵＲＬで接続されるサイトでの所定のサービスを受ける権利を有する第１のＵＲＬと、権利を有さない第２のＵＲＬがそれぞれ設定され、前記第１のＵＲＬは、前記計時部の計時が開始されてから、予め設定されている時間が経過した時点まで、前記所定の装置に提供され、前記第２のＵＲＬは、前記第１のＵＲＬが提供されていないときに前記所定の装置に提供される。
【０００９】
前記生成部は、前記端末が、発券または精算の処理を実行したときに、前記所定の装置に対して提供する前記ＵＲＬを生成するようにすることができる。
【００１０】
前記ＵＲＬは、所定の期間に、前記所定の装置が非接触通信を行える位置に位置したときの回数、その累積回数、前記所定の装置のＩＤ、および前記リーダライタのＩＤをパラメータとして含むようにすることができる。
【００１２】
前記前記リーダライタは、前記端末が、発券または精算の処理を開始したときに電源がオンにされ、その後、所定の時間が経過したときオフにされるようにすることができる。
【００１４】
本発明の一側面の情報処理方法は、時間貸しの駐車場または駐輪場に設置される端末に、非接触で所定の装置と通信を行うリーダライタを備える情報処理装置の情報処理方法において、発券または精算の処理が開始されたときから計時を開始し、前記所定の装置が非接触通信を行える位置に位置したとき、所定のＵＲＬを生成し、生成された前記ＵＲＬを、前記リーダライタを制御して、前記所定の装置に提供するステップを含み、生成される前記ＵＲＬは、そのＵＲＬで接続されるサイトでの所定のサービスを受ける権利を有する第１のＵＲＬと、権利を有さない第２のＵＲＬがそれぞれ設定され、前記第１のＵＲＬは、前記計時が開始されてから、予め設定されている時間が経過した時点まで、前記所定の装置に提供され、前記第２のＵＲＬは、前記第１のＵＲＬが提供されていないときに前記所定の装置に提供されるステップを含む。
【００１５】
本発明の一側面のプログラムは、時間貸しの駐車場または駐輪場に設置される端末に、非接触で所定の装置と通信を行うリーダライタを備える情報処理装置に、発券または精算の処理が開始されたときから計時を開始し、前記所定の装置が非接触通信を行える位置に位置したとき、所定のＵＲＬを生成し、生成された前記ＵＲＬを、前記リーダライタを制御して、前記所定の装置に提供するステップを含み、生成される前記ＵＲＬは、そのＵＲＬで接続されるサイトでの所定のサービスを受ける権利を有する第１のＵＲＬと、権利を有さない第２のＵＲＬがそれぞれ設定され、前記第１のＵＲＬは、前記計時が開始されてから、予め設定されている時間が経過した時点まで、前記所定の装置に提供され、前記第２のＵＲＬは、前記第１のＵＲＬが提供されていないときに前記所定の装置に提供されるステップを含む処理を実行させる。
【００１６】
本発明の一側面の情報処理装置、情報処理方法、並びにプログラムにおいては、時間貸しの駐車場または駐輪場に設置される端末に、非接触で所定の装置と通信を行うリーダライタが備えられ、発券または精算の処理が開始されたときから計時が開始され、所定の装置が非接触通信を行える位置に位置したとき、所定のＵＲＬが生成され、生成されたＵＲＬが、リーダライタを制御して、所定の装置に提供される。その生成されるＵＲＬは、そのＵＲＬで接続されるサイトでの所定のサービスを受ける権利を有する第１のＵＲＬと、権利を有さない第２のＵＲＬがそれぞれ設定され、第１のＵＲＬは、計時が開始されてから、予め設定されている時間が経過した時点まで、所定の装置に提供され、第２のＵＲＬは、第１のＵＲＬが提供されていないときに所定の装置に提供される。
【発明の効果】
【００１７】
本発明の一側面によれば、所定の場所の利用から、所定のメディアサイトへの誘導を促進することが可能となる。また、その所定の場所の利用を促進させることができる。
【図面の簡単な説明】
【００１８】
【図１】本発明を適用した情報処理システムの一実施の形態の構成を示す図である。
【図２】発券機の外観の構成を示す図である。
【図３】事前精算機の外観の構成を示す図である。
【図４】精算機の外観の構成を示す図である。
【図５】情報処理システムの他の構成を示す図である。
【図６】精算機の外観の構成を示す図である。
【図７】端末の機能を説明するための図である。
【図８】端末の動作について説明するためのフローチャートである。
【図９】端末の機能を説明するための図である。
【図１０】端末の動作について説明するためのフローチャートである。
【図１１】記録媒体について説明するための図である。
【発明を実施するための形態】
【００１９】
以下に、本発明の実施の形態について図面を参照して説明する。
【００２０】
［情報処理システムの構成について］
図１は、本発明を適用した情報処理装置を含む情報処理システムの一実施の形態の構成を示す図である。図１に示した情報処理システムは、コインパーキングなどと称される時間貸しの駐車場のシステムに、本発明の情報処理システムの構成を適用した場合を示している。
【００２１】
図１に示した情報処理システム１１は、発券機２１、ゲート２２、事前精算機２３、精算機２４、ゲート２５を含む。発券機２１は、ループコイル３１とループコイル３２を備える。発券機２１は、ループコイル３１で、自動車４１が進入したことを検知すると、駐車券を発券する。この駐車券は、出庫のときの料金の精算時に必要とされる。発券機２１は、発券後、ゲート２２を制御して、ゲート２２に備えられているバー３３を上方向に動かし、自動車４１が駐車場内に入れるようにする。また発券機２１は、ループコイル３２上を自動車４１が通過することで、ゲート２２を通過したことを検知すると、ゲート２２を制御して、バー３３を下方向に動かし、次の自動車が駐車場内に入れないようにする。
【００２２】
事前精算機２３は、出庫のとき、駐車料金を、実際の出庫より前の時点で精算するときに利用される。実際の出庫のときに精算が行われるときには、精算機２４が用いられる。精算機２４は、発券機２１と同じく、２つのループコイル３４とループコイル３５を備える。精算機２４は、ループコイル３４に自動車４２が位置していることを検知し、駐車券が挿入された場合、精算処理を実行する。事前精算機２３により事前に生成が行われた駐車券が挿入された場合、または、駐車券に打刻されている時刻からの駐車時間に応じた料金が支払われた場合、ゲート２５を制御して、バー３６を上方向に動かすことで、自動車４２が駐車場内から出られるようにする。また、精算機２４は、ループコイル３５上を自動車４２が通過することで、ゲート２５を通過したことを検知すると、ゲート２５を制御して、バー３６を下方向に動かし、次の自動車が駐車場外に出られないようにする。
【００２３】
図２は、発券機２１の外観の構成を示す図である。発券機２１は、表示部１０１、駐車券出力部１０２、およびリーダライタ１０３を備える。表示部１０１は、時刻などが表示される。駐車券出力部１０２は、時刻が打刻された駐車券を出力する。リーダライタ（Reader/Writer）１０３は、ＩＣカードと通信を行う部分である。ＩＣカードとは、例えば、フェリカ（FeliCa）（商標）である。リーダライタ１０３は、ＩＣカードからの情報を読み出したり、ＩＣカードに情報を書き込んだりする機能を有する。またリーダライタ１０３は、後述するＵＲＬ（Uniform Resource Locator）、そのＵＲＬにアクセスを促すメッセージなどを表示する機能も有する。
【００２４】
ここでは、ＩＣカードが組み込まれている携帯電話機が、リーダライタ１０３と通信を行うとして説明を続ける。しかしながら、本発明が、携帯電話機に限定されるわけでなく、非接触で通信を行う装置に適用できる。また、リーダライタ１０３は、情報処理システム１１（図１）に含まれる発券機２１、事前精算機２３、または精算機２４のいずれか１台に備え付けられていればよい。ここでは、各機器に備え付けられている場合を例にあげて説明を続ける。また、各機器の外観の構成は一例であり限定を示すものではない。例えば、リーダライタ１０３の設置位置は、駐車券出力部１０２の下側に限定されるわけではなく、下側以外の位置に備え付けられても勿論良い。しかしながら、リーダライタ１０３の設置位置は、発券機２１の場合、車内から届く範囲が好ましく、例えば、駐車券出力部１０２の近傍が好ましい設置位置の一例であり、そのような例を、図２では図示している。
【００２５】
またリーダライタ１０３は、発券機２１に外付け（後付）で備えられるようにすることも可能であるし、内蔵（一体化）で備えられるようにすることも可能である。リーダライタ１０３を後付けするようにした場合、既に設置されている発券機２１に対して装着できることを意味している。また、外付けである場合であっても、発券機２１の所定の位置に備え付けられることが好ましく、例えば、発券機２１と離れた位置に全く別の装置として存在することを意味するものではない。他の装置においても同様に、リーダライタを一体化で構成しても良いし、別体として構成しても良い。
【００２６】
図３は、事前精算機２３の外観の構成を示す図である。事前精算機２３は、表示部１２１、駐車券挿入部１２２、料金挿入部１２３、およびリーダライタ１２４を備える。表示部１２１は、駐車料金などを表示する。駐車券挿入部１２２は、時刻が打刻された駐車券が、ユーザにより挿入される部分である。また、処理済みの駐車券が出力される部分でもある。
【００２７】
リーダライタ１２４は、ＩＣカードの機能を備える携帯電話機と通信を行う部分である。リーダライタ１２４は、後述するＵＲＬ、そのＵＲＬにアクセスを促すメッセージなども表示する。事前精算機２３には、これらの部分以外にも備えられているものがあるが、以下の説明において必要な部分のみ説明し、それ以外の部分についての説明は省略する。
【００２８】
図４は、精算機２４の外観の構成を示す図である。精算機２４は、表示部１５１、駐車券挿入部１５２、料金挿入部１５３、およびリーダライタ１５４を備える。精算機２４の構成は、基本的に事前精算機２３と同様であるので、その説明は省略する。
【００２９】
時間貸しの駐車場のシステムとしては、図１に示したシステムの他に、図５に示す構成を有する駐車場のシステムも存在する。図５は、本発明を適用した情報処理装置を含む情報処理システムの他の実施の形態の構成を示す図であり、駐車場のシステムに適用した場合の例を示す図である。
【００３０】
図５に示した情報処理システム２１１は、精算機２２１、フラップ２２２−１乃至２２２−７を含む構成とされている。フラップ２２２−１乃至２２２−７をそれぞれ区別する必要がない場合、単にフラップ２２２と記載する。フラップ２２２は、自動車が駐車しているときに上げられた状態とされることで、駐車している自動車が移動できないようにする。そして、精算機２２１により精算が行われると、フラップ２２２は下げられ、自動車が移動できる状態とされる。
【００３１】
例えば、図５においては、自動車２３２が、フラップ２２２−４が設置されている駐車スペースに駐車されているため、フラップ２２２−４は上げられた状態である。そしてフラップ２２２−４以外のフラップ２２２−１乃至２２２−３，２２２−５乃至２２２−７は、それぞれ下げられた状態とされている。下げられた状態のフラップ２２２のところに、新たに駐車場内に進入してきた自動車２３１は、駐車することができる。
【００３２】
各フラップ２２２には、ユーザが認識できる識別番号が付けられている。ユーザは、自車を駐車した駐車スペースのフラップ２２２の識別番号を精算機２２１に入力する。精算機２２１は、入力された識別番号を基に、駐車時間を算出し、その駐車時間に応じた料金を、ユーザに請求する。ユーザがその請求に対応して料金を支払うと、精算機２２１は、対応するフラップ２２２を下げる制御を行う。
【００３３】
精算機２２１は、例えば、図６に示すような外観の構成を有している。精算機２２１は、表示部２５１、識別番号入力部２５２、料金支払い部２５３、およびリーダライタ２５４を備える。表示部２５１は、駐車料金などを表示する。識別番号入力部２５２は、上述したフラップ２２２を識別する識別番号を、ユーザが入力するときに操作される部分である。料金支払い部２５３は、表示部２５１に表示されている駐車料金の支払いを行うときに使用される部分である。リーダライタ２５４は、ＩＣカードの機能を備える携帯電話機と通信を行う部分である。また、リーダライタ２５４は、後述するＵＲＬ、そのＵＲＬにアクセスを促すメッセージなどを表示する。
【００３４】
ここでは、駐車場を例にあげて説明するが、バイクや自転車を駐輪する駐輪場などに対しても本発明を適用した情報処理装置を含む情報処理システムを適用することができる。
【００３５】
［所定のメディアサイトへの誘導について］
上記した情報処理システム１１または情報処理システム２１１においては、ユーザが駐車場を利用すると、ユーザの携帯電話機に所定のＵＲＬが提供される。ユーザは、提供されたＵＲＬに基づき、所定のメディアサイトへアクセスすることができるように構成されている。よって、駐車場という所定の場所から、メディアサイトへの誘導を実現することが可能となる。また、そのようなことが実現されることで、メディアサイトへアクセスするためのＵＲＬを取得するために、駐車場の利用を行うユーザが増えることを期待することができる。このことにより、他の駐車場との差別化を図ることが可能となる。
【００３６】
このようなことを可能とするために、発券機２１、事前精算機２３、精算機２４、および精算機２２１は、それぞれリーダライタを備え、その備えているリーダライタにより、携帯電話機にＵＲＬが提供される。なお、上記したように、発券機２１、事前精算機２３、精算機２４、および精算機２２１の全てにリーダライタが備えられるようにしても勿論良いが、１システムに１台のリーダライタが備えられているように構成されていても勿論良い。
【００３７】
そのような処理を行う発券機２１、事前精算機２３、精算機２４、および精算機２２１についてさらに説明を加える。以下の説明においては、発券機２１、事前精算機２３、精算機２４、および精算機２２１を、端末として表記する。図７に端末３０１の機能を示す機能ブロック図を示す。
【００３８】
端末３０１は、発券精算処理部３２１、メッセージ表示制御部３２２、ＩＤ取得部３２３、カウンタ３２４、ＵＲＬ設定部３２５、ＵＲＬ提供部３２６、計時部３２７、およびリーダライタ３２８を含む。発券精算処理部３２１は、端末３０１が、発券機２１である場合、発券処理を行う機能であり、端末３０１が事前精算機２３、精算機２４、または精算機２２１である場合、精算処理を行う機能である。
【００３９】
メッセージ表示制御部３２２は、リーダライタ３２８に表示されるユーザに対するメッセージやＵＲＬの表示を制御する機能である。ここでは、メッセージ表示制御部３２２を設け、リーダライタ３２８にメッセージなどを表示させるとして説明を続けるが、リーダライタ３２８の近傍に、メッセージが印刷されたシールを貼るような実施の形態でも良い。ＩＤ取得部３２３は、携帯電話機のＩＤや、端末３０１自体のＩＤを取得する機能である。カウンタ３２４は、携帯電話機がリーダライタ３２８にかざされた回数をカウントする機能である。ＵＲＬ設定部３２５は、リーダライタ３２８にかざされた携帯電話機に提供するＵＲＬを設定する機能である。
【００４０】
ＵＲＬ提供部３２６は、携帯電話機にＵＲＬを提供する機能である。計時部３２７は、発券精算処理部３２１が処理を実行してからの時間を計時する機能である。リーダライタ３２８は、リーダライタ１０３（図２）、リーダライタ１２４（図３）、リーダライタ１５４（図４）、またはリーダライタ２５４（図６）に対応する機能であり、リーダライタとしての処理を実行する機能である。
【００４１】
リーダライタ１５４は、端末３０１に一体型（内蔵）で構成されるようにすることも可能であるし、別体（外付け）で構成されてるようにすることも可能である。リーダライタ１５４が内蔵されているか、外付けであるかに係わらず、リーダライタ１５４は、端末３０１としての、例えば、発券機２１と通信を行い、ＩＣカードの機能を備える携帯電話機と通信を行う機能を有する。
【００４２】
ここでは、図７に示すように、リーダライタ３２８と、その他の機能を別々に図示し、説明を続けるが、メッセージ表示制御部３２２、ＩＤ取得部３２３、カウンタ３２４、ＵＲＬ設定部３２５、ＵＲＬ提供部３２６、計時部３２７が、リーダライタ３２８に含む構成とすることは可能である。
【００４３】
このような機能が、リーダライタ３２８に含まれるようにした場合、リーダライタ３２８と発券精算処理部３２１が通信を行うようにそれぞれ構成される。また、このような機能が、リーダライタ３２８に含まれるようにした場合、リーダライタ３２８と発券精算処理部３２１が通信を行えるように接続するだけで、既存の端末（発券機２１など）にリーダライタ３２８を装着し、以下に説明するようなＵＲＬの提供といったサービスを実施することができるようになる。
【００４４】
次に、図８のフローチャートを参照し、端末３０１で実行される処理について説明を加える。ステップＳ１０１において、発券精算処理部３２１が発券または精算処理を行う。端末３０１が、発券機２１の場合、ループコイル２１（図１）で自動車が検知されると、発券精算処理部３２１により発券処理が実行される。端末３０１が、事前精算機２３、精算機２４、または精算機２２１の場合、駐車券が挿入されたとき、または駐車スペースに割り当てられた番号が入力されたときに、発券精算処理部３２１により精算処理が開始され、ユーザにより料金が支払われることにより精算処理が実行される。
【００４５】
このようにして、発券または精算処理が行われると、ステップＳ１０２において、メッセージ表示制御部３２２の処理により、リーダライタ３２８にメッセージが表示される。この処理でリーダライタ３２８に表示されるメッセージは、例えば、“発券された後に、ここに携帯電話機をかざしてください。駐車場のご利用の方に、商品が当たるチャンスがあります”といったメッセージである。
【００４６】
このメッセージは、リーダライタ３２８に携帯電話機をかざすことを、ユーザに促すメッセージであればよい。また、リーダライタ３２８に携帯電話機をかざすことを促すために、例えば、リーダライタ３２８の所定の部分、例えば、リーダライタ３２８の輪郭や中央の部分に設けられたＬＥＤ（Light Emitting Diode）などが点滅（点灯）することで、ユーザの注目を集めるような仕組みを設けても良い。このようなメッセージを表示させるための表示部や、ＬＥＤをリーダライタ３２８は、携帯電話機と通信を行う機能に加えて備えている。
【００４７】
なお、ここでは、発券または精算の処理が行われた後に、メッセージが表示されるとしたが、この順番に限定されるわけではない。例えば、メッセージは常に表示されていても良いし、自動車が検知されたときに表示され、その後、発券や精算の処理が行われるようにしても良い。
【００４８】
ステップＳ１０３において、携帯電話機がかざされたか否かが判断される。携帯電話機が備えるＩＣカードとしての機能と、リーダライタ３２８は、非接触で通信を行うため、ユーザは、携帯電話機をリーダライタ３２８にかざすだけでよい。リーダライタ３２８は、携帯電話機がかざされた場合、その携帯電話機から、携帯電話機固有のＩＤを取得する。携帯電話機固有のＩＤとしては、ＩＣカードが、FeliCa（商標）である場合、そのFeliCaのＩＤを用いることができる。また、リーダライタ３２８が携帯電話機と通信を行うことで取得されたＩＤ（以下、適宜、携帯電話機ＩＤと記述する）は、ＩＤ取得部３２３により取得され、ＩＤ取得部３２３がＩＤを取得したときに、携帯電話機がかざされたと判断される。
【００４９】
ステップＳ１０３において、携帯電話機がかざされたと判断された場合、ステップＳ１０４に処理が進められる。ステップＳ１０４において、ＩＤとカウンタ値が取得される。ＵＲＬ設定部３２５は、かざされた携帯電話機に対して提供するＵＲＬを、ＩＤとカウンタ値を含めたＵＲＬとするために、ＩＤ取得部３２３で取得されたＩＤと、カウンタ３２４から供給されるカウンタ値を取得する。カウンタ３２４から供給されるカウンタ値は、携帯電話機がかざされた回数（以下、適宜、タッチ回数と記述する）と、その累積回数である。なお、詳細は後述するが、タッチ回数は、抽選券が付与されたＵＲＬの提供が開始されている間、またはリーダライタ３２８の電源がオンにされた間に、携帯電話機がかざされた回数である。
【００５０】
ステップＳ１０５において、ＵＲＬ設定部３２５は、ＵＲＬを設定する。設定されるＵＲＬは、所定のサイトにアクセスするためのＵＲＬに、ＩＤとカウンタ値を付加することで設定される。付加されるＩＤは、携帯電話機ＩＤと、リーダライタ３２８に割り振られているＩＤ（以下、適宜、リーダライタＩＤと記述する）である。また、付加されるカウンタ値は、タッチ回数と累積回数の値である。
【００５１】
これらの携帯電話機ＩＤ、リーダライタＩＤ、タッチ回数、および累積回数は、暗号化され、所定のＵＲＬにパラメータとして付加されることで、ユーザ側に提供するＵＲＬが設定される。このように、所定のＵＲＬに、携帯電話機ＩＤ、リーダライタＩＤ、タッチ回数、および累積回数から構成されるパラメータを付加するのは、１回の利用に対して１枚の抽選券を、接続されたサイト側で発行できるようにするためである。
【００５２】
例えば、１回の利用で、同一の携帯電話機が複数回かざされた場合、上記したパラメータを設けないと、かざされた回数だけ、抽選券が発行されてしまうことになる。しかしながら、上記したパラメータを設けることで、仮に１回の利用で、同一の携帯電話機が複数回かざされたとしても、パラメータが異なる（タッチ回数が異なる）ので、有効な抽選券は１枚とすることが可能となる。また、仮に、１回の利用で、複数の携帯電話機がかざされたとしても、パラメータが異なる（携帯電話機ＩＤが異なる）ため、有効な抽選券を１枚とすることが可能である。
【００５３】
サイト側では、パラメータに含まれる、携帯電話機ＩＤ、リーダライタＩＤ、タッチ回数、および累積回数がユニークのときだけ抽選が行えるように制御することで、１回の利用で１回の抽選のみが行われるように制御することが可能となる。なおここで、抽選と記載しているが、この抽選とは、例えば、接続先のサイトで、プレゼントに応募する、ゲームを楽しめる、何らかの情報の提供を受ける、ポイントが付与され、そのポイント数に応じたサービスを受けられるといった、ユーザに取って魅力的なサービスの提供を含む。
【００５４】
例えば、携帯電話機が、提供されたＵＲＬに基づきサイトにアクセスすれば、ポイントが付与されるようにしても良い。付与されるポイントは、精算金額に応じたポイント数としても良い。例えば、駐車場の精算料金が、２００円の場合、２００ポイントが付与されるようにしても良い。このようにした場合であり、例えば、１００ポイントで１回の懸賞などのサービスが受けられるようにした場合、２００ポイントが付与された時点で、２回のサービスを受けることができる。このように、精算金額と連動してサービスの回数が決定されるようにすることも可能である。このようにした場合、サービスの提供回数を増やすために、ユーザは、積極的に長時間駐車したり、利用回数を増やすようにするといった効果を期待することができる。
【００５５】
また、駐車場の１回の利用で、所定のポイント数が付与されるようにしても良い。例えば、１回乗利用で、１２０ポイントが付与されるようにし、１００ポイントで１回のサービスの提供を受けられるようにした場合、５回の利用で、６００ポイント付与され、６回のサービスの提供が受けられるようになる。このように、利用回数に応じてポイントが付与されるようにしても良い。このようにした場合、ユーザは、積極的に利用回数を増やしたりするといった効果を期待することができる。なお、ここで例にあげた付与されるポイント数や、１回のサービスを受けるときに必要とされるポイント数などは一例であり、限定を示すものではない。また、以下の説明において抽選券とは、このようなポイントの付与を受けるための権利を含む表現として用いる。
【００５６】
なお、パラメータが付加される所定のＵＲＬは、ＵＲＬ発行部３２５に記憶されていても良いし、ネットワークなどから取得されるようにしても良い。また、１つのサイトのＵＲＬが記憶されているようにしても良いし、複数のサイトのＵＲＬが記憶されているようにしても良い。複数のサイトのＵＲＬが記憶されている場合、周期的に変更される。周期的に変更される場合、例えば、１回の発券または精算の処理が実行される毎にＵＲＬが他のサイトのＵＲＬに変更されたり、所定の回数、同一のＵＲＬが提供された後、変更されたりする。さらに、例えば、駐車時間に応じて（精算料金に応じて）、異なるＵＲＬが提供されるようにしても良い。
【００５７】
ステップＳ１０５において、ＵＲＬが設定されると、ステップＳ１０６において、その設定されたＵＲＬが、ＵＲＬ提供部３２６の処理により、リーダライタ３２８に供給され、リーダライタ３２８における通信が実行されることで、携帯電話機に提供される。ＵＲＬが携帯電話機に提供されたとき、そのことをユーザに認識させるために、リーダライタのＬＥＤが点灯や点滅されるようにしてもよい。また、音が発せられることで、そのようなことを認識させるようにしても良い。また、ＵＲＬが提供されたときには、リーダライタに表示されているメッセージが、提供されたＵＲＬの表示に切り替えられるようにしても良いし、そのＵＲＬの表示は、そのＵＲＬで接続できるサイトの紹介文などであっても良い。
【００５８】
ＵＲＬの提供が終了されると、処理は、ステップＳ１０３に戻され、それ以降の処理が繰り返される。すなわち、携帯電話機がかざされたか否かが判断され、携帯電話機がかざされたときにはＵＲＬが提供される。上述したように、仮に、複数回、携帯電話機がかざされたとしても、有効な抽選券は１枚だけであるが、かざされた全ての携帯電話機にＵＲＬが提供されることで、それらの携帯電話機のユーザが、そのＵＲＬで指定されるサイトにアクセスする可能性がある。そのような可能性があるため、抽選券がないために抽選に参加できないユーザに対しても、広くサイトの存在を知らしめることが可能となる。
【００５９】
ステップＳ１０３において、携帯電話機がかざされていないと判断された場合、ステップＳ１０７に処理が進められる。ステップＳ１０７において、所定の時間が経過したか否かが判断される。計時部３２７は、発券または精算の処理が開始されたときから計時を開始する。そして、予め設定されている時間が経過すると、ＵＲＬ設定部３２５に新たにＵＲＬを設定するように指示を出すように構成されている。
【００６０】
ステップＳ１０７において、計時部３２７により、所定の時間は経過していないと判断された場合、ステップＳ１０３に処理が戻され、それ以降の処理が繰り返される。一方、ステップＳ１０７において、所定の時間が経過したと判断された場合、ステップＳ１０８に処理が進められる。ステップＳ１０８において、ＵＲＬ設定部３２５は、抽選券が付与されないＵＲＬを設定する。抽選券が付与されてないＵＲＬとは、例えば、上記したパラメータが付与されないＵＲＬであっても良いし、抽選券とは関係のないＵＲＬでも良い。
【００６１】
上記のように処理が実行されるため、携帯電話機がかざされた回数を示すタッチ回数は、ステップＳ１０８においてＵＲＬが設定されたときにリセットされるか、または、ステップＳ１０１において、発券または精算の処理が実行されたときにリセットされる（初期化される）。このような処理が実行されることでタッチ回数は、計時部３２７が計時する所定の時間内に、携帯電話機がかざされた回数となる。
【００６２】
本実施の形態においては、このように、発券または精算の処理が実行されたときに、抽選券が付与されるＵＲＬが設定され、それ以外のときには、抽選券が付与されないＵＲＬが設定される。発券または精算の処理が実行されないときに、抽選券が付与されないＵＲＬが設定されることで、発券や精算のとき以外でも、所定のサイトにアクセスするためのＵＲＬを提供することが可能となる。このようなことが可能となることで、例えば、駐車場を利用していないユーザに対して、または駐車場が利用されていないときでもユーザに対して、ＵＲＬを提供することが可能となる。
【００６３】
このように、本実施の形態においては、駐車場を利用したユーザに対して、抽選券が付与されたＵＲＬを提供することが可能となる。また、駐車場を利用していないユーザに対しても、駐車場という所定の場所から、ＵＲＬを提供することが可能となる。
【００６４】
ユーザは、ＵＲＬが提供された携帯電話機を利用して、その提供されたＵＲＬに基づくサイトにアクセスすることができる。抽選券があると、例えば、接続先のサイトで提供されているゲームを楽しめたり、懸賞に応募できたり、ユーザ登録できたりする。抽選券がない場合には、接続先のサイトの紹介などを閲覧したりすることができる。またユーザ登録された場合、そのサイトから、電子メールなどで情報が配信されてくるようにしても良い。その情報は、駐車場の近辺の情報であるようしてもよい。
【００６５】
［他の実施の形態について］
次に、他の実施の形態について説明する。図９は、端末の他の構成を示す図である。図９に示した端末４０１は、発券精算処理部４２１、メッセージ表示制御部４２２、ＩＤ取得部４２３、カウンタ４２４、ＵＲＬ設定部４２５、ＵＲＬ提供部４２６、計時部４２７、電源制御部４２８、およびリーダライタ４２９を含む。図９に示した端末４０１は、発券または精算の処理が実行されたときだけ、リーダライタ４２９の電源がオンになるように構成されている。その電源の制御を電源制御部４２８が行う。その他の部分に関しては、図７に示した端末３０１と基本的に同様であるため、その説明は省略する。
【００６６】
図１０のフローチャートを参照し、端末４０１の動作について説明する。図８に示した端末３０１の動作と同様の処理を含むため、同様の処理に関しては、その説明を適宜省略する。ステップＳ２０１において、発券精算処理部４２１により発券または精算の処理が実行されると、ステップＳ２０２において、リーダライタ４２９の電源がオンにされる。電源制御部４２８は、発券精算処理部４２１が処理を実行したとき、リーダライタ４２９の電源をオンにする。
【００６７】
電源がオンにされるタイミングとしては、端末４０１が発券機２１の場合、発券が行われたときである。端末４０１が、事前精算機２３、精算機２４、または精算機２２１の場合、精算が開始されたときである。リーダライタ４２９の電源がオンにされると、ステップＳ２０３において、リーダライタ４２９にメッセージが表示される。ステップＳ２０３乃至Ｓ２０８の各ステップにおける処理は、図８に示したフローチャートのステップＳ１０２乃至Ｓ１０７の各ステップにおける処理と同様に行われるため、その説明は省略する。
【００６８】
ステップＳ２０８において、計時部４２７により所定の時間が経過したと判断された場合、ステップＳ２０９に処理が進められる。ステップＳ２０９において、電源制御部４２８は、リーダライタ４２９の電源をオフにする。
【００６９】
このように制御することで、発券や精算の処理が実行されたときに、換言すれば、ユーザが発券機や精算機を操作しているときにのみ、リーダライタ４２９の電源をオンにし、ＵＲＬを提供することができ、リーダライタ４２９の無駄な電力消費を抑えることができるとともに、効率良くＵＲＬを提供することが可能となる。
【００７０】
このように、本発明を適用することで、駐車場などの所定の場所から、所定のサイトに誘導することができ、情報発信することが可能となる。
【００７１】
［記録媒体について］
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【００７２】
図１１は、上述した一連の処理をプログラムにより実行するコンピュータのハードウエアの構成例を示すブロック図である。コンピュータにおいて、ＣＰＵ（Central Processing Unit）１００１、ＲＯＭ（Read Only Memory）１００２、ＲＡＭ（Random Access Memory）１００３は、バス１００４により相互に接続されている。バス１００４には、さらに、入出力インタフェース１００５が接続されている。入出力インタフェース１００５には、入力部１００６、出力部１００７、記憶部１００８、通信部１００９、及びドライブ１０１０が接続されている。
【００７３】
入力部１００６は、キーボード、マウス、マイクロフォンなどよりなる。出力部１００７は、ディスプレイ、スピーカなどよりなる。記憶部１００８は、ハードディスクや不揮発性のメモリなどよりなる。通信部１００９は、ネットワークインタフェースなどよりなる。ドライブ１０１０は、磁気ディスク、光ディスク、光磁気ディスク、又は半導体メモリなどのリムーバブルメディア１０１１を駆動する。
【００７４】
以上のように構成されるコンピュータでは、ＣＰＵ１００１が、例えば、記憶部１００８に記憶されているプログラムを、入出力インタフェース１００５及びバス１００４を介して、ＲＡＭ１００３にロードして実行することにより、上述した一連の処理が行われる。
【００７５】
コンピュータ（ＣＰＵ１００１）が実行するプログラムは、例えば、パッケージメディア等としてのリムーバブルメディア１０１１に記録して提供することができる。また、プログラムは、ローカルエリアネットワーク、インターネット、デジタル衛星放送といった、有線または無線の伝送媒体を介して提供することができる。
【００７６】
コンピュータでは、プログラムは、リムーバブルメディア１０１１をドライブ１０１０に装着することにより、入出力インタフェース１００５を介して、記憶部１００８にインストールすることができる。また、プログラムは、有線または無線の伝送媒体を介して、通信部１００９で受信し、記憶部１００８にインストールすることができる。その他、プログラムは、ＲＯＭ１００２や記憶部１００８に、あらかじめインストールしておくことができる。
【００７７】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００７８】
また、本明細書において、システムとは、複数の装置により構成される装置全体を表すものである。
【００７９】
なお、本発明の実施の形態は、上述した実施の形態に限定されるものではなく、本発明の要旨を逸脱しない範囲において種々の変更が可能である。
【符号の説明】
【００８０】
２１  発券機，  ２２  ゲート，  ２３  事前精算機，  ２４  精算機，  ２５  ゲート，  ２２１  精算機，  ３０１  端末，  ３２１  発券精算処理部，  ３２２  メッセージ表示制御部，  ３２３  ＩＤ取得部，  ３２４  カウンタ，  ３２５  ＵＲＬ設定部，  ３２６  ＵＲＬ提供部，  ３２７  計時部，  ３２８  リーダライタ，  ４０１  端末，  ４２１  発券精算処理部，  ４２２  メッセージ表示制御部，  ４２３  ＩＤ取得部，  ４２４  カウンタ，  ４２５  ＵＲＬ設定部，  ４２６  ＵＲＬ提供部，  ４２７  計時部，  ４２８  電源制御部，  ４２９  リーダライタ
【図１】
0005586250.tif 000002
【図２】
0005586250.tif 000003
【図３】
0005586250.tif 000004
【図４】
0005586250.tif 000005
【図５】
0005586250.tif 000006
【図６】
0005586250.tif 000007
【図７】
0005586250.tif 000008
【図８】
0005586250.tif 000009
【図９】
0005586250.tif 000010
【図１０】
0005586250.tif 000011
【図１１】
0005586250.tif 000012